(57)【要約】【課題】製造過程における作業性の向上を図れるとともに、作業を円滑に行えるという機能性および強度性についても優れている作業用手袋を提供する。【解決手段】掌側部分を形成するとともに、皮革からなる第１の基布と、甲側部分を形成するとともに、伸縮性を有する布材からなる第２の基布とを有する基材手袋と、前記基材手袋に被覆されるとともに、樹脂成分からなる被覆層とを備える。掌側部分を皮革にて構成することで、物を掴む際の十分な強度を保つことができる。甲側部分を伸縮性を有する布地にて構成することで、容易に指を曲げることができ、細かな作業を行うことができる。【選択図】図１
2007308834.tif 000002
【特許請求の範囲】
【請求項１】
掌側部分を形成するとともに、皮革からなる第１の基布と、甲側部分を形成するとともに、伸縮性を有する布材からなる第２の基布とを有する基材手袋と、
前記基材手袋に被覆されるとともに、樹脂成分からなる被覆層と、
を備える作業用手袋。
【請求項２】
前記第１の基布が、甲側の指先部分を形成している請求項１記載の作業用手袋。
【請求項３】
前記第１の基布が、掌側及び甲側の親指部分を形成している請求項１又は２に記載の作業用手袋。
【請求項４】
人の手に模した手袋型に、
掌側部分を形成するとともに、皮革からなる第１の基布と、甲側部分を形成するとともに、伸縮性を有する布材からなる第２の基布とを備える基材手袋を装着し、
前記基材手袋を装着した手袋型を、樹脂成分に浸漬して被覆層を形成する作業用手袋。
【請求項５】
樹脂成分が、ゴムラテックスからなる請求項１ないし４の何れかに記載の作業用手袋。
【請求項６】
前記布材が、メリヤス布地からなる請求項１ないし５の何れかに記載の作業用手袋。
【発明の詳細な説明】
【技術分野】
【０００１】
本発明は、作業用手袋に関し、詳しくは、基材手袋に被覆層を形成するサポート型の作業用手袋に関する。
【背景技術】
【０００２】
従来、布地等からなる基材手袋に各種ゴムや合成樹脂等が被覆された、いわゆるサポート型の作業用手袋が広く知られている。このようなサポート型の作業用手袋は、防水性、強度性等に優れていることから、漁業、建築、土木等の各種の作業時に広く用いられている。
【０００３】
サポート型手袋には、例えば天然皮革、合成皮革等の皮革或いはメリヤス布地等からなる基材手袋が裏地として用いられることが多い。裏地として皮革が用いられる作業用手袋は、強度性に一層優れており、土木作業等において手を保護する役目有している。一方、裏地としてメリヤス布地が用いられる作業用手袋は、特開平０５−０５９６０３号公報にも記載されているように伸縮性に富んでおり、容易に指を曲げて物を掴むことができるという利点がある。
【０００４】
このようなサポート型手袋は、５本の指部を有する立体成形用の手袋型に基材手袋を装着し、ゴムラテックス溶液等の樹脂成分に浸漬した後、乾燥するといった工程を必要回数繰り返し、最後に熱加硫を行うことで製造する。
【特許文献１】特開平０５−０５９６０３号公報
【発明の開示】
【発明が解決しようとする課題】
【０００５】
ところが、裏地として皮革が用いられる場合、伸縮性に欠けるため手袋型に装着し難いという問題があった。特に、親指の部分については他の四指の部分と同一平面上にないことから、装着の困難さは顕著であった。このような装着の困難さを解消するため、手袋型の親指部分は手袋型本体から着脱可能となるものがある。すなわち、手袋型の親指部分を取り外し、それを予め基材手袋の親指部分内に入れた状態で、基材手袋を手袋型に装着させるという方法をとっていた。ところが、手袋型の親指部分だけを取り外して基材手袋の親指部分に入れ込むという複雑で余分な作業を行わなければならなく、作業性の点から問題があった。
【０００６】
また、皮革は、伸縮性に欠けている上に布材に比べて厚く構成されているため、指を曲げ難く細かな作業をスムーズに行うことが出来ないという機能性の点からも問題があった。
【０００７】
一方、裏地としてメリヤス布地が用いられる場合、伸縮性に富んでいることから皮革を用いた場合のような問題点はないものの、強度上十分でないという問題があった。例えば漁業関係者が牡蠣のような先の尖ったものを扱う場合において、先が突き刺さって手袋にに穴があくことがあった。また、土木作業等においても同様で、先の尖った釘等に突き刺されると危険であり、手を十分に保護することが出来ない場合があった。特に、物を握ったり掴んだりするときに力が入りやすい掌部分、指先部分等については、より強度性が要求されていた。
【０００８】
本発明は、上記従来の問題を解決するために提案するものであって、製造過程においての作業性を向上させるとともに、作業を円滑に行えるという機能性に優れており、さらに十分な強度を有する作業用手袋を提供することを目的とする。
【課題を解決するための手段】
【０００９】
本発明の作業用手袋は、皮革からなる第１の基布と、伸縮性を有する布材からなる第２の基布とを有する基材手袋と、前記基材手袋に被覆されるとともに、樹脂成分からなる被覆層とを備える。また、第１の基布は掌側部分を形成し、第２の基布は甲側部分を形成する。
【００１０】
この構成によれば、掌側部分が皮革により構成されているため、例えば作業中に牡蠣、あるいは釘等の先の尖ったものを持っても、手袋が破れることはなく、十分な強度を保つことが出来る。また、甲側部分が、伸縮性を有する布材から構成されているため、容易に指を曲げて物をつかむことが出来る。また、伸縮性を有しているために、製造過程において手袋型に基材手袋を装着しやすく、作業性を向上させることが出来る。
【００１１】
また、前記基材手袋の第１の基布が、甲側の指先部分を形成するような構成にすることで、作業中に力が入りやすい指先を保護することが出来る。
【００１２】
さらに、前記基材手袋の第１の基布が、親指部分を形成するような構成にすることで、作業中に力が入りやすい親指を保護することが出来る。
【００１３】
本発明の樹脂成分には、ゴムラテックスを用いることが出来る。用途、目的にあったゴムラテックスを選択することにより、又はゴムラテックスの含有量を変えることにより、弾性、強度等の性質を調整することが出来る。
【発明の効果】
【００１４】
以上のような構成を採用することにより、本発明では、製造過程における作業性の向上を図れるとともに、機能性および強度性についても優れている。
【発明を実施するための最良の形態】
【００１５】
以下、添付図面を参照して、本発明の実施の形態につき説明し、本発明の理解に供する。図１は、本実施の形態における基材手袋の正面側からみた斜視図である。図２は、本実施の形態における基材手袋の背面側からみた斜視図である。
【００１６】
本実施形態の作業用手袋は、基材手袋１０１に被覆層が浸漬されて製造される、いわゆるサポート型の手袋である。基材手袋１０１は、主として掌部分１０２ａを形成する掌側基布１０２と、主として甲部分１０３ａを形成する甲側基布１０３とが、縫い代を内側にして縫い合わされる、いわゆる内縫いにより継ぎ合わされて形成されている。継ぎ合わせ箇所は、山型状の線Xに示している（図１、図２）
掌側基布１０２は、天然皮革又は合成皮革から構成されており、先が尖ったものを握っても破れることはなく、十分に掌を保護するだけの強度を有している。掌側基布１０２は、掌部分１０２ａだけでなく、掌側、甲側の双方を含む親指部分１０２ｂ、親指を除く４指の掌側の部分１０２ｃ、甲側の指先部分１０２ｄを形成している。これらの部分は、作業中に物を掴んだりする際に物に接触したり、又は力が入りやすい部分、すなわち比較的損傷、劣化の進行が早い部分となっている。そのような部分を皮革で構成することで、手袋の強度を保つとともに、手を保護することが出来るようになっている。
【００１７】
なお、掌側基布１０２は、掌部分１０２ａ、親指部分１０２ｂ、掌側の４指部分１０２ｃ、甲側の指先部分１０２ｄのパーツから構成されており、これらのパーツが、破線Yで内縫いされることで連続して一体となっている。
【００１８】
甲側基布１０３は、綿糸から構成されており、メリヤス編みにすることで伸縮性を有している。この伸縮性により、物を握ろうとしたときでも、甲部分１０３ａが突っ張ってしまうということはなく、細かな作業をスムーズに行なうことができる。なお、甲側基布１０３の原料としては，特に綿糸の限定するわけではないが、伸縮性を富むものが好ましい。
【００１９】
甲側基布１０３は、主として指先部分１０２ｄを除く甲側部分を形成している。また、甲側基布１０３は、甲側のみならず掌側においても袖口１０３ｂ、１０３ｃまで保護している。これにより、例えばバケツに水を入れて作業を行う場合であっても、服の袖口を捲り上げる必要はなく、結果として作業性を向上させることができる。
【００２０】
次に上記基材手袋１０１にゴムラテックスを被覆させる方法について説明する。
【００２１】
まず、基材手袋１０１を、人の手に模した金属製或いは陶器製の手袋型に被せて装着させる。このとき、本実施形態の基材手袋１０１には、上述のように、伸縮性に富むメリヤス布地が用いられているため、手袋型に容易に装着することができるようになっている。すなわち、従来のように手袋型の親指部分を取り外して基材手袋の親指部分に入れ込み、次いでその状態で基材手袋１０１を手袋型に装着させるという余分な工程を省略することが出来る。また、基材手袋１０１は手袋型に密着することが好ましいが、伸縮性に富んだメリヤス布地を使用することで、容易に密着させて被らせることが出来る。以上のように、伸縮性に富むメリヤス布地を用いることにより、機能性のみならず、製造工程での作業性をも向上させることができる。
【００２２】
次に基材手袋１０１を装着した状態の手袋型を、指先の方からゴムラテックス溶液に浸漬させる。ゴムラテックスの付着工程は、基材手袋１０１を所定時間浸漬して含浸させる方法（ディッピング方式）を用いているが、ゴムラテックス溶液を基材手袋１０１に垂らして染み込ませる方法（シャワー方式）等種々の方法を採用することができる。
【００２３】
本実施形態のゴムラテックスは、強度、耐油性等の理由からアクリルニトリルブタジエンゴム（ＮＢＲ）が用いられているが、特にこれに限定するものではない。例えば、スチレンブタジエンゴム（ＳＢＲ）等の他の合成ゴムラテックス、あるいは天然ゴムラテックスを用いることが出来る。また、用途、目的にあった樹脂成分を選択することは当然のことであるが、樹脂成分の含有量を変えることにより、弾性、強度等の性質を調整することが出来る。アクリルニトリルブタジエンゴム（ＮＢＲ）においては、アクリルニトリルブタジエンの含有量が多いほど強度は大きくなり、かつ耐油性に優れるが、その一方で弾性は乏しくなる傾向にある。このため、強度と弾性とのバランスを考慮して、含有量を決定することとなる。
【００２４】
続いて、手袋型を浸漬してから所定時間が経過すると、手袋型を引き出してゴムラテックスを乾燥させる。手袋型の浸漬、乾燥の工程は、必要回数繰り返すことで、強度と重量との調和を図ることができる。浸漬、乾燥の回数が増えるほど作業用手袋の強度は大きくなるが、その分作業用手袋の重量は重くなる。
【００２５】
浸漬、乾燥の工程が終了すると、最後に熱加硫を行うことで作業用手袋を製造する。
【００２６】
なお、上述した実施の形態は、本発明を具体化した一例であって、本発明の技術的範囲を限定する性格のものではない。
【００２７】
なお、基材手袋１０１に被覆される被覆層として、ポリプロピレン、ポリウレタン、ポリエチレン等の合成樹脂を用いてもよい。これら合成樹脂の付着方法は、上述と同様ディッピング方式あるいはシャワー方式等を用いることが出来る。
【産業上の利用可能性】
【００２８】
本発明にかかる作業用手袋は、優れた機能性と強度性を併せ持ち、かつ製造工程において作業性を向上させることが出来、漁業、土木作業、建築作業等種々の作業において有用である。
【図面の簡単な説明】
【００２９】
【図１】本実施の形態における基材手袋の正面側からみた斜視図。
【図２】本実施の形態における基材手袋の背面側からみた斜視図。
【符号の説明】
【００３０】
１０１  基材手袋
１０２  掌側基布
１０２ａ  掌部分
１０２ｂ  親指部分
１０２ｃ  ４指部分
１０２ｄ  指先部分
１０３  甲側基布
１０３ａ  甲部分
１０３ｂ  袖口
１０３ｃ  袖口
【図１】
2007308834.tif 000003
【図２】
2007308834.tif 000004